(57)【特許請求の範囲】
【請求項１】
変速可能な回転軸（１３）に回転刃（１２）を設け、チョッパ作業用の固定刃（１４）を収納可能に構成したスプレッダ（１）において、前記回転軸（１３）の下方には、排藁の排出をガイドする底板（１７）を設け、該底板（１７）は、スプレッダ作業時には排藁の排出口を拡大し、チョッパ作業時には排藁の排出口を縮小する作業切替機構を有し、前記底板（１７）をスプレッダ作業位置へ移動操作することにより、前記固定刃（１４）を収納し、前記底板（１７）をチョッパ作業位置へ移動操作することにより前記固定刃（１４）を突出するように構成し、前記底板（１７）を操作して、該固定刃（１４）の突出収納の切替操作を行う切替レバー（８）と、前記回転軸（１３）の変速機構（１８）を操作する変速レバー（５）とを設け、該切替レバー（８）と変速レバー（５）の操作機構とを連動させ、前記固定刃（１４）の突出状態の時に、該変速レバー（５）が変速機構（１８）の低速位置へ変速できないようにし、かつ、前記回転軸（１３）を変速機構（１８）により低速へ変速した時には、該切替レバー（８）による前記固定刃（１４）の突出状態へのロック操作ができない、牽制機構（１９）を構成したことを特徴とするスプレッダ。
【発明の詳細な説明】
【０００１】
【発明の属する技術分野】
本発明は、スプレッダ作業とチョッパ作業とを切り替え可能なスプレッダの構成に関するものであり、詳しくは、切断効果を抑えたスプレッダ作業用に設けた低速回転の変速段の時には、チョッパ作業を行わないようにするための牽制機構に関する。
【０００２】
【従来の技術】
コンバイン等に取り付けられて藁等を排出するスプレッダにおいては、回転軸の周方向に切断用の刃（以下「回転刃」とする）を配置し、該回転刃を高速で回転することにより、コンバインより搬送されてきた藁を切断しつつ拡散して排出するようにして、スプレッダ作業を行っていた。さらに、この回転刃と比較的狭い間隔をもってすれ違う位置に回転しない刃（以下「固定刃」とする）を設け、該固定刃と前記回転刃とにより切断効果を高めたチョッパ作業も実施可能なスプレッダが知られている。従来より、このようにチョッパ作業が可能なスプレッダにおいては、固定刃を収納自在とした上で、固定刃の収納時にはスプレッダ作業を行い、突出時にはチョッパ作業を行うようにして、両作業を切り替え可能な構成としている。
【０００３】
また、前記スプレッダ作業においては、切断することなく藁をそのまま排出したい時には、拡散効果を維持しつつ切断効果を軽減するため、回転刃を取り外し、替わりに切断効果のない部材に取り替えるといった手段が考えられる。しかし、取り替えには費用的にも時間的にも多大な負担がかかるため、回転軸に変速機構を設け、回転軸の回転数、すなわち回転刃の周速度を下げて低速回転できるようにすることにより、回転刃を取り付けたままでも切断効果を軽減できるようにしている。
【０００４】
【発明が解決しようとする課題】
しかしながら、このような兼用タイプのスプレッダにおいても、スプレッダ作業・チョッパ作業共に高速回転が前提であり、低速回転でチョッパ作業を行うと、藁が固定刃に低速で衝突して藁と固定刃との相対衝突速度が小さくなるため、藁が撓ったり折れ曲がったりし、切断されずに回転刃と固定刃との間に詰まり、著しい場合にはスプレッダのフレームが破損する、という問題があった。また、詰まった藁の除去は刃の部分に触れないように行わなければならないため、除去作業に非常に時間と労力がかかる、という問題もあった。
【０００５】
【課題を解決するための手段】
本発明の解決しようとする課題は以上の如くであり、次に課題を解決するための手段について説明する。
【０００６】
請求項１においては、変速可能な回転軸（１３）に回転刃（１２）を設け、チョッパ作業用の固定刃（１４）を収納可能に構成したスプレッダ（１）において、前記回転軸（１３）の下方には、排藁の排出をガイドする底板（１７）を設け、該底板（１７）は、スプレッダ作業時には排藁の排出口を拡大し、チョッパ作業時には排藁の排出口を縮小する作業切替機構を有し、前記底板（１７）をスプレッダ作業位置へ移動操作することにより、前記固定刃（１４）を収納し、前記底板（１７）をチョッパ作業位置へ移動操作することにより前記固定刃（１４）を突出するように構成し、前記底板（１７）を操作して、該固定刃（１４）の突出収納の切替操作を行う切替レバー（８）と、前記回転軸（１３）の変速機構（１８）を操作する変速レバー（５）とを設け、該切替レバー（８）と変速レバー（５）の操作機構とを連動させ、前記固定刃（１４）の突出状態の時に、該変速レバー（５）が変速機構（１８）の低速位置へ変速できないようにし、かつ、前記回転軸（１３）を変速機構（１８）により低速へ変速した時には、該切替レバー（８）による前記固定刃（１４）の突出状態へのロック操作ができない、牽制機構（１９）を構成したものである。
【０００７】
【発明の実施の形態】
次に、本発明の実施の形態について説明する。
【０００８】
図１は本発明に係わるスプレッダの左側面図、図２は同じく右側面図、図３は作業機体内部の背面斜視図、図４はスプレッダ作業時の排出口の左斜視図、図５は同じく左下面斜視図である。
【０００９】
図６はチョッパ作業時の排出口の左斜視図、図７はスプレッダ作業−高速回転時の変速部の右斜視図、図８はスプレッダ作業−低速回転時の変速部の右斜視図、図９はチョッパ作業−高速回転時の変速部の右斜視図である。
【００１０】
図１０は高速回転時の変速機構の説明図、図１１は低速回転時の変速機構の説明図、図１２はスプレッダ作業時の牽制機構の説明図、図１３はチョッパ作業−高速回転時の牽制機構の説明図、図１４はスプレッダ作業−低速回転時の牽制機構の説明図、図１５は固定刃の収納状況を示す側面一部断面図、図１６は固定刃の別形態の収納状況を示す側面一部断面図、図１７は収納カバーによる固定刃の突出状況を示す背面一部断面図、図１８は同じく収納状況を示す背面一部断面図である。
【００１１】
本発明に係るスプレッダの全体構成について、図１乃至図３により説明する。スプレッダ１は、上方より順に、排塵ダクト２、作業機体４、及び排出口３が配設され、該作業機体４の右側部には変速部９が設けられている。なお、作業機体４側を前方、排塵ダクト２や排出口３の先部側を後方とする。
【００１２】
このうち、排塵ダクト２前部は、図示せぬコンバイン等の排藁経路に連結連通されると共に、排塵ダクト２は後方に向かって延出されており、藁が作業機体４内に搬入される以前に、コンバイン内部で発生した塵等を排塵ダクト２後部から予め排出するようにしている。
【００１３】
前記作業機体４の左右の側板１５・１６間には回転軸１３が回転可能に横架され、該回転軸１３の外周面には、軸方向及び円周方向に所定間隔で取付部材１１が固設されている。該取付部材１１の断面視コ字状の取付フレーム１１ａには、回転刃１２の根元部が押さえ材１１ｂで押止され、ボルト・ナットなどの締結具１１ｃにより着脱可能に取り付けられており、回転刃１２や作業機体４内部の保守管理作業が容易に行えるようにしている。
【００１４】
このような構成において、前記排塵ダクト２を通過し、塵等が除去されながら搬送されてきた藁は、回転する回転刃１２により切断されつつ拡散し排出される。なお、回転刃１２には、回転方向３６側の両側１２ａ・１２ｂに刃部が形成されており、一方の側１２ａが摩耗して切断効果が低下した場合でも、回転刃１２を前後逆にして装着し直すだけで、作業を中断せずにそのまま続行することができ、作業性の低下を防止することができる。また、両側を使用できるので、ランニングコストも低減できる。
【００１５】
前記排出口３は、前記作業機体４の底板１７と、作業機体４下部より後方に延出された排出ダクト３４と、該排出ダクト３４先端に取り付けられた補助排出ダクト３５とより構成される。このうち補助排出ダクト３５は、排出ダクト３４の延長上に設けられると共に、鋼板などの硬質材から形成される排出ダクト３４とは異なり、ゴムなどの弾性体で形成されているため、コンバインの移動時にスプレッダ１の後部が衝突した場合でも、最初に衝突する補助排出ダクト３５の弾性作用によって、衝突エネルギーが吸収され、各部材の変形や破損を防止できるようにしている。なお、このようなダクト先端に弾性の補助ダクトを付設する構造は、前記排塵ダクト２においても適用することができ、同様に、衝突エネルギーが吸収されて各部材の変形や破損を防止することができる。
【００１６】
また、前記変速部９は、図示せぬベルト伝達機構などを介してコンバインからの駆動が直接入力される駆動プーリ６と、該駆動プーリ６からの駆動力を、変速レバー５により変速する変速機構１８と、該変速機構１８により変速された駆動力が入力される従動プーリ７と、本発明に係わる牽制機構１９とから構成される。そのうち従動プーリ７は、前記回転軸１３の右端に連結されており、コンバインからの駆動力により、所定の回転数で回転軸１３を駆動できるようにしている。
【００１７】
次に、チョッパ作業とスプレッダ作業との作業切替機構について、図３乃至図７、図９により説明する。図３乃至図５に示すように、作業機体４の内部には左右方向に軸部材２１が横架され、該軸部材２１左端には、切替レバー８の基部が連結され、該切替レバー８は、前記左側板１５下部に円弧状に開口したレバーガイド１０に挿通され左外方に延出されている。
【００１８】
一方、右側板１６には、前記レバーガイド１０の前後端に対応する位置に、図７、図９に示すような係止孔３１・３２が開口され、該係止孔３１・３２に、前記軸部材２１右端が挿嵌可能に構成されており、さらに、軸部材２１左端近傍には、図５に示すようなバネ部材２２が外嵌され、通常は、該バネ部材２２により軸部材２１は右方に付勢されている。
【００１９】
また、図４乃至図６に示すように、底板１７の前部は、左右側板１５・１６に設けられた支軸２５・２５を中心に上下回動可能に軸支されると共に、底板１７の前略半分には、前後方向にスリット状に切り欠き２０・２０・・・が開口され、該切り欠き２０・２０・・・の下方には、連結軸により左右方向に連結された同数の固定刃１４・１４・・・が配置されている。
【００２０】
該固定刃１４・１４・・・前部の上下には、底板１７前部に横設された収納フレーム２３と突出フレーム２４とが、上下から固定刃１４・１４・・・前部を挟持するようにして配設され、該収納フレーム２３と突出フレーム２４とにより、底板１７の上下回動と一緒に固定刃１４・１４・・・も上下に傾倒するようにしている。
【００２１】
このような構成において、図４に示すように、前記切替レバー８を把持して左方（図面手前）に引き出し、レバーガイド１０に沿って下降させ、レバー位置８ａで切替レバー８を離すと、軸部材２１は前記バネ部材２２により右方（図面奥の方）に付勢されて軸部材２１右端は前記係止孔３１に挿嵌され、レバー位置８ａでロックされる。この時、軸部材２１により支持された底板１７も下方に回動し、該底板１７を下面とする前記排出口３の排出面積も増大した状態とすることができ、この排出面積の大きい状態（以下「スプレッダ作業位置」とする）においてスプレッダ作業を行うようにしている。
【００２２】
続けて、図６に示すように、切替レバー８を把持して左方（図面手前）に引き出すと、軸部材２１右端は前記係止孔３１から引き抜かれる。そのまま切替レバー８をレバーガイド１０に沿って上昇させレバー位置８ｂで離すと、軸部材２１はバネ部材２２により右方（図面奥の方）に付勢されて、軸部材２１右端は前記係止孔３２に挿嵌され、レバー位置８ｂでロックされる。この時、軸部材２１により支持された底板１７も上方に回動し、排出口３の排出面積は小さくなり、この排出面積が小さい状態（以下「チョッパ作業位置」とする）においてチョッパ作業を行うようにしている。
【００２３】
すなわち、このように、回転軸１３の下方には、排藁の排出をガイドする底板１７を設け、該底板１７は、スプレッダ作業時には排藁の排出口３を拡大し、チョッパ作業時には排藁の排出口３を縮小する作業切替機構を有するので、スプレッダ作業においては、回転刃１２の回転軌跡と底板１７との間隔を十分確保することができ、回転刃１２への藁のからみつき等を回避し、藁の排出を円滑に行うことができる。また、チョッパ作業においては、回転刃１２の回転軌跡と底板１７との間隔を狭くすることができ、藁を回転刃１２の回転軌跡内に確実に通すようにし、切断効果を高めることができるのである。
【００２４】
また、図４乃至図６に示すように、前記固定刃１４は、底板１７がスプレッダ作業位置にある時は底板１７より下方に収納されているが、底板１７をチョッパ作業位置まで回動すると、前記突出フレーム２４が固定刃１４を上方に向けて押出し、該固定刃１４が前記切り欠き２０を通過して底板１７前方に突出される。続けて、底板１７をチョッパ作業位置からスプレッダ作業位置に戻すと、前記収納フレーム２３が固定刃１４を下方に押し戻し、該固定刃１４は前記切り欠き２０を通過して底板１７下方に収納される。
【００２５】
すなわち、このように、底板１７をスプレッダ作業位置へ移動操作することにより固定刃１４を収納し、前記底板１７をチョッパ作業位置へ移動操作することにより固定刃１４を突出するので、スプレッダ作業とチョッパ作業間の切替を迅速に行うことができ、作業効率の大幅な向上を図ることができるのである。
【００２６】
なお、図５に示すように、前記軸部材２１は底板１７の下面に当接され、底板１７の剛性を高める構成となっているため、作業時に上方より多量の藁が投入された場合でも、その過大な荷重で底板１７が変形しないようにしている。
【００２７】
ここで、前記切り欠き２０の目詰まり防止構造について説明する。底板１７をスプレッダ作業位置へ移動操作し、図１５に示すように、支軸４７を中心にして固定刃１４を回動させ、切り欠き２０内に収納した際、該固定刃１４の刃部１４ａの先端のみが、切り欠き２０の上面レベル２０ａよりわずかに突出した構成とする。このような構成において、たとえスプレッダ作業中に切り欠き２０内に藁などが入り込み目詰まりが発生しても、スプレッダ作業からチョッパ作業に移行する際に、刃部１４ａが切り欠き２０内面に沿って回動し、目詰まりしていた藁などを斜め上方に押し出して排出する。
【００２８】
また、図１６に示すように、前記刃部１４ａの全長を、切り欠き２０の上面レベル２０ａよりもわずかに突出するか、あるいは、上面レベル２０ａと略同一面となるように構成する。このような構成において、スプレッダ作業中は、切り欠き２０内は固定刃１４の刃部で閉塞された状態にあるため、該切り欠き２０内で固定刃１４の回動範囲内には藁などが入り込む隙間がなく、目詰まりも発生しない。そのため、スプレッダ作業からチョッパ作業に移行する際は、固定刃１４は切り欠き２０内を滑らかにガイドされながら突出する。
【００２９】
すなわち、収納時の固定刃１４の一部または全長を、切り欠き２０よりわずかに突出しておくことで、藁などによる目詰まりの発生自体を防止し、スプレッダ作業からチョッパ作業への移行を円滑に行うことができるのである。
【００３０】
また、図１７、図１８に示すように、前記底板１７上面には収納カバー４６のスライド部４６ｂが左右摺動可能に当接され、該スライド部４６ｂ右部からは、断面視Ｌ字状の支持アーム４６ｃが垂設され、該支持アーム４６ｃは底板１７右部に開口したガイド孔１７ａを貫通して下方に突出されている。
【００３１】
支持アーム４６ｃ先端にはガイドローラ４６ｄが固設され、該ガイドローラ４６ｄは、前記右側板１６内面に当接されると共に、ガイドローラ４６ｄは、収納カバー４６の左端と、底板１７から延出した支持板１７ｂとの間に介設した付勢バネ４８によって、右側板１６に向かって付勢され、更に、スプレッダ作業位置における右側板１６内面には、前記ガイドローラ４６ｄが落ち込み可能な凹み１６ａが形成されている。
【００３２】
そして、前記スライド部４６ｂには複数の切り欠き４６ａが開口され、該切り欠き４６ａは、チョッパ作業時には底板１７の切り欠き２０に重畳され（図１７）、スプレッダ作業時には底板１７の切り欠き２０を閉塞可能な位置に配置されている（図１８）。このような構成において、底板１７をチョッパ作業位置からスプレッダ作業位置まで移動操作すると、固定刃１４が底板１７下方に収納されると同時に、ガイドローラ４６ｄが凹み１６ａに落ち込み、収納カバー４６がガイド孔１７ａに沿って右方に摺動し、スライド部４６ｂが切り欠き２０を閉塞する。
【００３３】
すなわち、底板１７上を摺動する収納カバー４６を設け、固定刃１４の収納位置であるスプレッダ作業位置になった際に、前記収納カバー４６が切り欠き２０を閉塞するようにすることによっても、スプレッダ作業中における藁などによる目詰まり発生を防止し、スプレッダ作業からチョッパ作業への移行を円滑に行うことができるのである。
【００３４】
次に、高速回転と低速回転との変速機構について、図７、図８、図１０、図１１により説明する。なお、高速回転とは、通常のスプレッダ作業、チョッパ作業に適用される回転数であり、低速回転とは、高速回転よりも遅く、スプレッダ作業において切断することなく藁をそのまま排出するのに適した回転数であり、藁や作業条件によって変化するものであり、特定の回転数に限定されるものではない。また、本実施例では、変速を２段としたが、３段以上の変速としてもよく、あるいは、無段変速にして特定の回転数を下回る場合を低速回転のように規定してもよく、特に限定されるものではない。
【００３５】
図７、図１０に示すように、前記駆動プーリ６と従動プーリ７は、いずれも二連式プーリであり、それぞれ大径プーリ６ａと小径プーリ６ｂ、大径プーリ７ａと小径プーリ７ｂとから構成され、大径プーリ６ａと小径プーリ７ｂとの間には高速用ベルト２６が巻回され、小径プーリ６ｂと大径プーリ７ａとの間には低速用ベルト２７が巻回されている。
【００３６】
そして、駆動プーリ６と従動プーリ７間の後方にはテンションプーリ３７・３８が配設され、該テンションプーリ３７・３８は、それぞれ支持部材３９・４０より垂設されたテンションアーム３９ｃ・４０ｃの先端に軸支されている。該支持部材３９・４０は、いずれも前記右側板１６より外側方に突設された支軸４２に上下回動可能に軸支されると共に、支持部材３９・４０から後方に突設するステー３９ａ・４０ａと右側板１６との間にはバネ２８・２９が介設されており、該バネ２８・２９の弾性力によって、支持部材３９・４０は常に下方に回動するよう付勢されている。
【００３７】
前記支持部材３９・４０の上方には、側面視Ｔ字状のプーリ操作部材４１が配設され、該プーリ操作部材４１は、前記右側板１６より外側方に突設された支軸４３に上下回動可能に支持されると共に、前記変速レバー５の基部が連結固定されている。また、プーリ操作部材４１より機体外方には係合ピン４１ａが突設され、該係合ピン４１ａの前方には、前記支持部材４０より上方に突設されたアーム４０ｂの先部が配置されている。さらに、係合ピン４１ａと支軸４３を挟んで反対側には、係合ピン４１ｂが機体内方に突設され、該係合ピン４１ｂの前方には、前記支持部材３９より上方に突設されたアーム３９ｂの先部が配置されている。
【００３８】
このような構成において、変速レバー５を操作して高速位置５ａにすると、プーリ操作部材４１の係合ピン４１ａにより、アーム４０ｂは前方に押されて前記バネ２９の弾性力に抗して前方に回動し、同時に、該アーム４０ｂと支軸４２ａを挟んで反対側にある前記テンションアーム４０ｃは後方に回動する。すると、テンションアーム４０ｃ先部のテンションプーリ３８は低速用ベルト２７から離間し、該低速用ベルト２７は弛緩して低速動力は切断される。一方、係合ピン４１ｂはアーム３９ｂから一層離間する一方、該アーム３９ｂを突設する支持部材３９は前記バネ２８によって下方に付勢されているため、アーム３９ｂと反対側にある前記テンションアーム３９ｃは前方に回動し、テンションアーム３９ｃ先部のテンションプーリ３７が高速用ベルト２６を前方に押して緊張させ、高速動力が接続される。
【００３９】
そして、図８、図１１に示すように、変速レバー５を操作して高速位置５ａから低速位置５ｂにすると、プーリ操作部材４１は下方に回動し、前記係合ピン４１ａはアーム４０ｂから離間する。すると、支持部材４０はバネ２９によって下方に付勢されているため、テンションアーム４０ｃは前方に回動し、テンションアーム４０ｃ先部のテンションプーリ３８は低速用ベルト２７を前方に押して緊張させ、低速動力が接続される。一方、係合ピン４１ｂによりアーム３９ｂは押さえられてバネ２８の弾性力に抗して前方に回動され、同時に、該アーム３９ｂと支軸４２ａを挟んで反対側にあるテンションアーム３９ｃは後方に回動する。すると、該テンションアーム３９ｃ先部のテンションプーリ３７は高速用ベルト２６から離間し、該高速用ベルト２６は弛緩して高速動力が切断されるのである。
【００４０】
このように、複数配設した二連プーリ６・７にテンションプーリ３７・３８による断接機構を適用することにより、複雑な変速機構を設けることなく簡単な構造により変速できるため、部品コストの低減やメンテナンス性の向上を図ることができる。
【００４１】
次に、このような変速機構１８により高速回転と低速回転とを切り替える際の牽制機構について、図７乃至図９、図１２乃至図１４により説明する。図７、図８、図１２に示すように、右側板１６下部には下方より順に係止孔３１と係止孔３２とが開口され、該係止孔３１と係止孔３２との間にはガイドピン４５が突設し、該ガイドピン４５には、スライド部材３３前部の摺動部３３ａに上下に長く形成された長孔３３ｃが、上下摺動可能に外嵌されている。
【００４２】
該摺動部３３ａ上端は、前記プーリ操作部材４１前部に突設した係合ピン４１ｃと、牽制リンク４４を介して連結連動されると共に、スライド部材３３後部には、摺動部３３ａに連設されて閉塞部３３ｂが形成されている。そして、該閉塞部３３ｂは、係止孔３１とは、上下摺動可能な全範囲において重複しないのに対し、該係止孔３１より上方の係止孔３２とは、最下位置では重ならないが、最上位置では重なって、係止孔３２を閉塞するようにしている。
【００４３】
このような構成において、前記底板１７がスプレッダ作業位置にある場合には、前記軸部材２１右端は前述した係止孔３１に挿嵌されているため、変速レバー５を高速位置５ａと低速位置５ｂとの間を回動操作しても、軸部材２１右端からの突出部は、スライド部材３３の上下摺動運動を何ら阻害することがなく、高速回転と低速回転間を自在に変速操作することができる。
【００４４】
これに対し、図９、図１３に示すように、前記底板１７がチョッパ作業位置にある場合には、前記軸部材２１右端は上方の係止孔３２に挿嵌されているため、軸部材２１右端からの突出部分が、スライド部材３３の上昇を阻害し、変速レバー５を高速位置５ａから低速位置５ｂに変速操作ができないようにしているのである。
【００４５】
すなわち、変速可能な回転軸１３に回転刃１２を設け、チョッパ作業用の固定刃１４を収納可能に構成したスプレッダ１において、該固定刃１４の収納機構と回転軸１３の変速機構１８との間に、固定刃突出状態の時に低速回転に変速できないようにする牽制機構１９を有するので、チョッパ作業中に誤って低速回転側にレバー操作しても変速レバー５が回動せず、高速回転を維持することができ、藁詰まりを防止することができる。
【００４６】
また、図１４に示すように、低速回転でスプレッダ作業中に、低速回転のままチョッパ作業に切り替えようとした場合には、前記スライド部材３３は既に最上位置にあり、その閉塞部３３ｂにより係止孔３２は閉塞されているため、前記切替レバー８を操作してチョッパ作業に切り替えようとしても、軸部材２１右端を係止孔３２に挿嵌してロックできない。そのために、底板１７は、自重または藁の投入により下降して元のスプレッダ作業位置に戻ってしまい、低速回転でのチョッパ作業が行えないようにしている。
【００４７】
すなわち、変速可能な回転軸１３に回転刃１２を設け、チョッパ作業用の固定刃１４を収納可能に構成したスプレッダ１において、該固定刃１４の収納機構と回転軸１３の変速機構１８との間に、回転軸１３を低速変速の時に、固定刃１４を突出状態へロックすることができない牽制機構１９を有するので、低速回転でスプレッダ作業中に、低速回転のままチョッパ作業に切り替えようとしても、底板１７をチョッパ作業位置にロックできずにスプレッダ作業に戻り、低速回転でのチョッパ作業に陥らないようにすることができる。
【００４８】
【表１】
0004955143.tif 000002
【００４９】
以上のような構成を有することにより、表１に示すように、低速回転でのチョッパ作業にのみロックできないようにすると共に、チョッパ作業中における高速回転から低速回転への変速、及び低速回転中におけるスプレッダ作業からチョッパ作業への作業切替とを防止するようにしている。
【００５０】
すなわち、変速可能な回転軸１３に回転刃１２を設け、チョッパ作業用の固定刃１４を収納可能に構成したスプレッダ１において、該固定刃１４の収納機構と回転軸１３の変速機構１８との間に、固定刃１４突出状態の時に低速回転に変速できないようにすると共に、回転軸１３を低速変速の時に、固定刃１４を突出状態へロックすることができない牽制機構１９とを有するので、低速回転でのチョッパ作業を確実に防止して藁詰まりの発生をなくし、藁詰まりによるフレームの破損防止や、藁除去作業にかかる時間や労力の省略を一層促進できるのである。
【００５１】
【発明の効果】
本発明は、以上の如く構成したので以下のような効果を奏する。
請求項１のように、前記回転軸の下方には、排藁の排出をガイドする底板を設け、該底板は、スプレッダ作業時には排藁の排出口を拡大し、チョッパ作業時には排藁の排出口を縮小する作業切替機構を有するので、スプレッダ作業においては、回転刃の回転軌跡と底板との間隔を十分確保することができ、回転刃への藁のからみつき等を回避し、藁の排出を円滑に行うことができる。
また、チョッパ作業においては、回転刃の回転軌跡と底板との間隔を狭くすることができ、藁を回転刃の回転軌跡内に確実に通すようにし、切断効果を高めることができるのである。
【００５２】
また、前記底板をスプレッダ作業位置へ移動操作することにより固定刃を収納し、前記底板をチョッパ作業位置へ移動操作することにより固定刃を突出するので、いずれも一操作で動作可能となり、スプレッダ作業とチョッパ作業間の切替を迅速に行うことができ、作業効率の大幅な向上を図ることができるのである。
【００５３】
また、変速可能な回転軸に回転刃を設け、チョッパ作業用の固定刃を収納可能に構成したスプレッダにおいて、該固定刃の収納機構と回転軸の変速機構との間に、固定刃突出状態の時に低速回転に変速できないようにする牽制機構を有するので、チョッパ作業中に誤って低速回転側にレバー操作しても変速レバーが回動せず、高速回転を維持することができ、藁詰まりを防止することができる。
【００５４】
また、該固定刃の収納機構と回転軸の変速機構との間に、回転軸を低速変速の時に、固定刃を突出状態へロックすることができない牽制機構を有するので、低速回転でスプレッダ作業中に、低速回転のままチョッパ作業に切り替えようとしても、底板をチョッパ作業位置にロックできずにスプレッダ作業に戻り、低速回転でのチョッパ作業に陥らないようにすることができる。
【００５５】
また、該固定刃の収納機構と回転軸の変速機構との間に、固定刃突出状態の時に低速回転に変速できないようにする牽制機構と、回転軸を低速変速の時に、固定刃を突出状態へロックすることができない牽制機構との両方の牽制機構を有するので、低速回転でのチョッパ作業を確実に防止して藁詰まりの発生をなくし、藁詰まりによるフレームの破損防止や、藁除去作業にかかる時間や労力の省略を一層促進できるのである。
【図面の簡単な説明】
【図１】  本発明に係わるスプレッダの左側面図である。
【図２】  同じく右側面図である。
【図３】  作業機体内部の背面斜視図である。
【図４】  スプレッダ作業時の排出口の左斜視図である。
【図５】  同じく左下面斜視図である。
【図６】  チョッパ作業時の排出口の左斜視図である。
【図７】  スプレッダ作業−高速回転時の変速部の右斜視図である。
【図８】  スプレッダ作業−低速回転時の変速部の右斜視図である。
【図９】  チョッパ作業−高速回転時の変速部の右斜視図である。
【図１０】  高速回転時の変速機構の説明図である。
【図１１】  低速回転時の変速機構の説明図である。
【図１２】  スプレッダ作業時の牽制機構の説明図である。
【図１３】  チョッパ作業−高速回転時の牽制機構の説明図である。
【図１４】  スプレッダ作業−低速回転時の牽制機構の説明図である。
【図１５】  固定刃の収納状況を示す側面一部断面図である。
【図１６】  固定刃の別形態の収納状況を示す側面一部断面図である。
【図１７】  収納カバーによる固定刃の突出状況を示す背面一部断面図である。
【図１８】  同じく収納状況を示す背面一部断面図である。
【符号の説明】
１  スプレッダ
３  排出口
１２  回転刃
１３  回転軸
１４  固定刃
１７  底板
１９  牽制機構
【図１】
0004955143.tif 000003
【図２】
0004955143.tif 000004
【図３】
0004955143.tif 000005
【図４】
0004955143.tif 000006
【図５】
0004955143.tif 000007
【図６】
0004955143.tif 000008
【図７】
0004955143.tif 000009
【図８】
0004955143.tif 000010
【図９】
0004955143.tif 000011
【図１０】
0004955143.tif 000012
【図１１】
0004955143.tif 000013
【図１２】
0004955143.tif 000014
【図１３】
0004955143.tif 000015
【図１４】
0004955143.tif 000016
【図１５】
0004955143.tif 000017
【図１６】
0004955143.tif 000018
【図１７】
0004955143.tif 000019
【図１８】
0004955143.tif 000020